(57)【要約】    【課題】  箱本体とは別個の係止具を用いることなく上面部を閉じた状態に係止する。    【解決手段】  上部を開口部２６とした箱体１１の底面２１に台紙１２の底面部３１を貼り付け、底面部３１の一側に連続する左側部３２を箱体１１の左側面２２に貼り付けるとともに、該左側部３２の開口側端縁３２ａと箱体１１の左側面２２との間にスリット１３を形成し、底面部３１の他側に連続する右側部３３にて箱体１１の右側面を覆い、右側部３３に連続する上面部３４にて前記開口部２６を塞ぎ、上面部の左側部３２側に連設したフラップ３５の先端３５ａを前記スリット１３に挿入して上面部３４を閉じた状態に係止する。【選択図】    図１  
2005096800.tif 000002
【特許請求の範囲】
【請求項１】
上部を開口した箱体の底面に台紙の底面部を貼り付け、該底面部の一側に連続する一側部にて前記箱体の一側面を覆うとともに、該底面部の他側に連続する他側部にて前記一側面に対向する箱体の他側面を覆い、該他側部に連続する上面部にて前記開口を塞いで前記箱体を角筒状に被覆する包装用箱において、前記上面部に前記箱体の一側面側へ折れ曲がるフラップを連設し、前記一側部を前記箱体の一側面に貼り付けるとともに、該一側部の前記開口側端縁と前記箱体の一側面との間に、前記フラップを挿入係止するスリットを形成したことを特徴とする包装用箱。
【請求項２】
前記他側部を前記箱体の他側面に貼り付けたことを特徴とする請求項１記載の包装用箱。
【発明の詳細な説明】
【技術分野】
【０００１】
本発明は、上部を開口する箱体の周囲を台紙にて角筒状に被覆する包装用箱に関する。
【背景技術】
【０００２】
和菓子や全集本を入れる包装用箱として、上部を開口した箱体の底面に、台紙の底面部を貼り付け、該底面部の一側に折れ線を介して連続する一側部にて前記箱体の一側面を、他側に折れ線を介して連続する他側部にて前記一側面に対向する箱体の他側面をそれぞれ非接着状態で覆い、前記他側部に折れ線を介して連続する上面部にて前記開口を塞いで前記箱体を角筒状に被覆するものがある（例えば、特許文献１参照。）
この種の包装用箱は、上面部を閉じて係止する場合には、一側部に折れ線を介して連続する小さな上面部と、他側部に連続する大きな上面部との間に係止具として面ファスナーを使用したり、例えば、図８に示されるように、包装用箱１の上面部２に紐３にて設けた掛け具４を、一側部５に設けたループ６に挿入して上面部２を係止する構成が一般的である。
【特許文献１】実開平７−３１６１２号公報（第１〜２頁、図１〜２）
【発明の開示】
【発明が解決しようとする課題】
【０００３】
このため、これらの係止具の購入や組み付け工程が必要で、係止具の管理に手間を要するだけでなく、製作コスト及び製作時間に影響を及ぼし、製品コストが上昇する。
【０００４】
そこで本発明は、箱本体とは別個の係止具を用いることなく上面部を閉じた状態に係止することが可能で、製作コストの低減と製作時間の短縮を図った包装用箱を提供することを目的としている。
【課題を解決するための手段】
【０００５】
上記した目的を達成するため、本発明は、上部を開口した箱体の底面に台紙の底面部を貼り付け、該底面部の一側に連続する一側部にて前記箱体の一側面を覆うとともに、該底面部の他側に連続する他側部にて前記一側面に対向する箱体の他側面を覆い、該他側部に連続する上面部にて前記開口を塞いで前記箱体を角筒状に被覆する包装用箱において、前記上面部に前記箱体の一側面側へ折れ曲がるフラップを連設し、前記一側部を前記箱体の一側面に貼り付けるとともに、該一側部の前記開口側端縁と前記箱体の一側面との間に、前記フラップを挿入係止するスリットを形成したを特徴としている。また、前記他側部を前記箱体の他側面に貼り付けてもよい。
【発明の効果】
【０００６】
以上説明したように、本発明は、箱本体と別個の係止具を用いることなく、包装用箱を構成する台紙の加工によって開口を塞ぐ上面部を閉じた状態に係止でき、係止具の購入や組み付け工程が不要で、製作コストの低減と製作時間の短縮が図れ、製品コストの上昇を抑えることができるとともに、箱の外側に係止具が露出しないから、外観も美的に優れたものとすることができる。
【発明を実施するための最良の形態】
【０００７】
以下、本発明を、図１乃至図７に示す実施形態例に基づいて、さらに詳細に説明する。包装用箱１０は、上部を開口する厚紙製の箱体１１の周囲を厚紙製の台紙１２にて角筒状に被覆して構成されている。箱体１１は、底面２１の対向する二縁に左側面２２と右側面２３とを、残りの対向する二縁に前面２４と後面２５とをそれぞれ連設して、左側面２２と右側面２３と前面２４と後面２５とで囲まれる上部を開口部２６とするもので、左側面２２と右側面２３とには、収納物を取り出しやすいように、それぞれ切り欠き２７が形成されている。
【０００８】
台紙１２は、前記箱体２の底面２１に貼り付けられる底部３１と、該底部３１の左側縁に折れ線４１を介して連続する左側部３２と、底部３１の右側縁に折れ線４２を介して連続する右側部３３と、該右側部３３の上縁に折れ線４３を介して連続する上面部３４と、該上面部３４の端縁から折れ線４４を介して前記箱体２の左側面２２側へ折れ曲がって連設されるフラップ３５とで構成されている。
【０００９】
前記左側部３２は、前記箱体２の左側面２２の下部約半分を覆う高さで、その開口部側端縁となる先端３２ａは、全体の約１／３の高さに亘る内面を幅方向全体に薄く形成されている。前記右側部３３は、前記箱体２の右側部３３を覆う高さに形成され、前記上面部３４は、前記箱体２の開口部２６を覆う大きさに形成され、前記フラップ３５は、前記箱体１１の左側面２２の上部約２／３を覆う大きさに形成され、その左側部側端縁となる先端３５ａは、前記左側部３２の先端３２ａ内面と略同じ高さとなる、全体の約１／３の高さに亘る外面を幅方向全体に薄く形成されている。前記左側部３２の先端内面と前記フラップ３５の先端３５ａ外面は、台紙１２の加工時に押圧成形により薄く形成される。
【００１０】
この台紙１２は、底部３１を前記箱体１１の底面２１に、左側部３２を前記箱体２の左側面２２に、右側部３３を前記箱体１１の右側面２３にそれぞれ貼り付けられている。左側部３２は、先端３２ａ内面が薄く形成されていることから、この先端３２ａ内面と箱体２の左側面２２との間にスリット１３が形成される。また、上面部３４は、前記箱体１１の開口部２６を塞いで蓋をし、前記フラップ３５は、前記箱体１１の左側面２２を覆い、外面を薄く形成された先端３５ａを前記スリット５に挿入して係止される。
【００１１】
このように、包装用箱１０を構成する材料の台紙１２の左側部３２と箱体２の左側面２２との間に形成されるスリット１３に、箱体１１の開口部２６を塞ぐ上面部３４に連続するフラップ３５の先端３５ａを挿入して係止するから、別個の係止具を用いることなく箱体２の開口部２６を塞ぐ上面部３４を閉じた状態に係止できる。したがって、係止具の購入や組み付け工程が不要で、製作コストの低減と製作時間の短縮が図れ、製品コストの上昇を抑えることができる。また、箱の外側に係止具が露出しないから、外観も美的に優れたものとすることができる。
【００１２】
なお、上記形態例では、台紙１２の右側部３３を箱体１１の右側面２３に貼り付けたもので説明したが、右側部３３を右側面２３に貼り付けない非接着状態としてもよく、また、右側部３３の下半分を箱体１１の右側面２３に貼り付け、非接着状態の上半分を折れ線を介して連続させてもよい。
【図面の簡単な説明】
【００１３】
【図１】本発明の一形態例の包装用箱を示す斜視図
【図２】同じく左側面図
【図３】図２のＩＩＩ−ＩＩＩ断面図
【図４】上面部を開いた状態の断面図
【図５】上面部を閉じた状態の斜視図
【図６】スリットの形状を示す拡大斜視図
【図７】係止状態を示す拡大斜視図
【図８】従来の包装用箱の係止具を示す斜視図
【符号の説明】
【００１４】
１０…包装用箱、１１箱体…、１２…台紙、１３…スリット、２１…箱体の底面、２２…箱体の左側面、２３…箱体の右側面、２６…箱体の開口部、３１…台紙の底部、３２…台紙の左側部、３２ａ…左側部の先端、３３…台紙の右側部、３４…台紙の上面部、３５…フラップ、３５ａ…フラップの先端
【図１】
2005096800.tif 000003
【図２】
2005096800.tif 000004
【図３】
2005096800.tif 000005
【図４】
2005096800.tif 000006
【図５】
2005096800.tif 000007
【図６】
2005096800.tif 000008
【図７】
2005096800.tif 000009
【図８】
2005096800.tif 000010